(57)【要約】【課題】複数のイーサネットポートを具備する中継装置において、どのイーサネットポートに回線終端端末を接続した場合でもＷＡＮポートとする技術を提供する。【解決手段】第１のネットワーク及び第２のネットワーク兼用の複数の物理ポートを有する中継装置の制御方法において、複数の物理ポートのうちの全ての物理ポートを第１のネットワークと動作可能な状態としておき、複数の物理ポートのいずれかに端末が接続されると、当該接続を自動検出して複数の物理ポートに対してリクエストパケットを送出し、送出したリクエストパケットに対するレスポンスがあった際には、複数の物理ポートのうちのレスポンスを受け付けた物理ポートを第１のネットワーク用の物理ポートとして認識し、第１のネットワーク専用である信号インタフェースと、認識された第１のネットワーク用の物理ポートとを接続するように設定することを含む。【選択図】図３
2014140106.tif 000002
【特許請求の範囲】
【請求項１】
第１のネットワーク及び第２のネットワーク兼用の複数の物理ポートを有する中継装置の制御方法において、
複数の物理ポートのうちの全ての物理ポートを第１のネットワークと動作可能な状態としておき、
複数の物理ポートのいずれかに端末が接続されると、当該接続を自動検出して複数の物理ポートに対してリクエストパケットを送出し、
送出したリクエストパケットに対するレスポンスがあった際には、複数の物理ポートのうちのレスポンスを受け付けた物理ポートを第１のネットワーク用の物理ポートとして認識し、
第１のネットワーク専用である信号インタフェースと、認識された第１のネットワーク用の物理ポートとを接続するように設定する、ことを特徴とする制御方法。
【請求項２】
複数の物理ポートのうちの他の物理ポートについては第２のネットワーク用の物理ポートとして認識し、第２のネットワーク専用である信号インタフェースと、認識された第２のネットワーク用の物理ポートとを接続するように設定する、ことを特徴とする請求項１に記載の制御方法。
【請求項３】
複数の物理ポートのいずれかに端末が接続されて複数の物理ポートに対してリクエストパケットを送出する前に、ＩＰアドレスを割り当てて相手とのネゴシエーションを実施し、
ネゴシエーションが完了した際には、当該物理ポートを第２のネットワーク用の物理ポートとして認識し、第２のネットワーク専用である信号インタフェースと、認識された第２のネットワーク用の物理ポートとを接続するように設定する、ことを特徴とする請求項１又は２に記載の制御方法。
【請求項４】
第１のネットワーク及び第２のネットワーク兼用の複数の物理ポートと、読取コードとを有する中継装置の制御方法において、
読取コードから取得したＭＡＣアドレスを外部のサーバが受信すると、当該外部のサーバから取得したＭＡＣアドレス宛に指定パケットを送信し、
外部のサーバから送信された指定パケットを受信した複数の物理ポートのうちのいずれかの物理ポートを第１のネットワーク用の物理ポートとして認識し、
第１のネットワーク専用である信号インタフェースと、認識された第１のネットワーク用の物理ポートとを接続するように設定することを特徴とする制御方法。
【請求項５】
複数の物理ポートが機能無効化されている状態において、
ＷｏＬ機能を搭載する外部の回線終端端末からマジックパケットの受信があると、外部の回線終端端末と接続している物理ポートを第１のネットワーク用の物理ポートとして認識し、
第１のネットワーク専用である信号インタフェースと、認識された第１のネットワーク用の物理ポートとを接続するように設定する、ことを特徴とする請求項１乃至４の何れか一項に記載の制御方法。
【請求項６】
第１のネットワーク及び第２のネットワーク兼用の複数の物理ポートを有する中継装置において、
複数の物理ポートのうちの全ての物理ポートを第１のネットワークと動作可能な状態としておき、複数の物理ポートのいずれかに端末が接続されると、当該接続を自動検出して複数の物理ポートに対してリクエストパケットを送出し、送出したリクエストパケットに対するレスポンスがあった際には、複数の物理ポートのうちのレスポンスを受け付けた物理ポートを第１のネットワーク用の物理ポートとして認識し、第１のネットワーク専用である信号インタフェースと、認識された第１のネットワーク用の物理ポートとを接続するように設定するネットワークプロセッサを備えることを特徴とする中継装置。
【請求項７】
第１のネットワーク及び第２のネットワーク兼用の複数の物理ポートと、読取コードとを有する中継装置において、
読取コードから取得したＭＡＣアドレスを外部のサーバが受信すると、当該外部のサーバから取得したＭＡＣアドレス宛に指定パケットを送信し、外部のサーバから送信された指定パケットを受信した複数の物理ポートのうちのいずれかの物理ポートを第１のネットワーク用の物理ポートとして認識し、第１のネットワーク専用である信号インタフェースと、認識された第１のネットワーク用の物理ポートとを接続するように設定するネットワークプロセッサを備えることを特徴とする中継装置。
【請求項８】
第１のネットワーク及び第２のネットワーク兼用の複数の物理ポートを有する中継装置の制御プログラムにおいて、
複数の物理ポートのうちの全ての物理ポートを第１のネットワークと動作可能な状態としておく処理と、
複数の物理ポートのいずれかに端末が接続されると、当該接続を自動検出して複数の物理ポートに対してリクエストパケットを送出する処理と、
送出したリクエストパケットに対するレスポンスがあった際には、複数の物理ポートのうちのレスポンスを受け付けた物理ポートを第１のネットワーク用の物理ポートとして認識する処理と、
第１のネットワーク専用である信号インタフェースと、認識された第１のネットワーク用の物理ポートとを接続するように設定する処理と、を中継装置に実行させることを特徴とする制御プログラム。
【請求項９】
第１のネットワーク及び第２のネットワーク兼用の複数の物理ポートと、読取コードとを有する中継装置の制御プログラムにおいて、
読取コードから取得したＭＡＣアドレスを外部のサーバが受信すると、当該外部のサーバから取得したＭＡＣアドレス宛に指定パケットを送信する処理と、
外部のサーバから送信された指定パケットを受信した複数の物理ポートのうちのいずれかの物理ポートを第１のネットワーク用の物理ポートとして認識する処理と、
第１のネットワーク専用である信号インタフェースと、認識された第１のネットワーク用の物理ポートとを接続するように設定する処理と、を中継装置に実行させることを特徴とする制御プログラム。
【発明の詳細な説明】
【技術分野】
【０００１】
本発明は、複数のイーサネット（登録商標、以下同じ）ポートを具備する中継装置に関し、特に、どのイーサネットポートに回線終端端末を接続した場合でもＷＡＮポートとなる中継装置、その制御方法、及びその制御プログラムに関する。
【背景技術】
【０００２】
近年、ＳＮＳ（Social Network Service）やストリーミング配信、ネットゲーム、クラウドサービスなどインターネットを使ったサービスが主流となっている。年齢、性別を問わず、誰でも、より簡単にインターネット環境がセットアップできるインターネット設置に対するニーズが存在する。
【０００３】
図１４は、インターネット環境のセットアップに必要となる中継装置の背面に設けられた物理ポートを説明するための要部拡大図を示す。図１４で示す一般的なルータなどの中継装置には、ＬＡＮ（Local Area Network）用やＷＡＮ（Wide Area Network）用などの複数のイーサネットポートが別々に設けられている。ユーザにとって、複数のイーサネットポートがあった場合は、モデムやＣＴＵ（Customer network Terminating Unit）などの回線終端端末は決められたＷＡＮポートに接続しなければならず、誤ってＬＡＮポートに接続した場合には通信できないため問題となる。
【０００４】
上記問題に対処するための様々な技術が提案されている。例えば、特許文献１は、ルータにおいて、ネットワークに接続するための物理ポートを選択的に構成する方法および装置を開示する。当該方法では、メッセージを受信し、希望するネットワークに使用する物理ポートを構成し、メッセージの受信に応答して、一組のマッピング・アサインメントを関連付け、物理ポートを使用してネットワークにアクセスし、そして、マッピング・アサインメントの関連付けに応答し、マッピング・アサインメントを実行して、選択されたネットワークに接続するための物理ポートを構成する。すなわち、特許文献１に記載のルータ・ポートを構成する方法および装置は、特定データを受信することで、受動的に、ＷＡＮあるいはＬＡＮかを判定する発明である。
【０００５】
また、特許文献２は、ブロードバンドルータのＷＡＮ／ＬＡＮインタフェースのコネクタの物理的共有化を可能とすると共に、ブロードバンドルータに接続するデバイスの属性を自動判別することを可能にする技術を開示する。特許文献２の接続デバイス属性自動判別方法は、ＷＡＮ判別をＰＰＰ認証に限定して行う発明である。
【０００６】
ルータにおいてＷＡＮ側インタフェースをユーザが容易に切り換えることができる技術が特許文献３に記載されている。特許文献３の情報中継装置及び情報通信システムは、端末装置からの送信データを変換して公衆通信網に送出するとともに、公衆通信網受信データを変換して端末装置に送出する公衆通信網データ送受信手段と、端末装置から出力された送信データを変換してイーサネットへ送出するとともに、イーサネット受信データを変換して端末装置に送出するイーサネットデータ送受信手段と、公衆通信網データ送受信手段とイーサネットデータ送受信手段のいずれか一方を送受信手段として選択する送受信手段選択手段とを備えている。この技術では、ユーザが、ルータに内蔵しているＷＡＮ側インタフェースを選択できる仕組みを有している。
【先行技術文献】
【特許文献】
【０００７】
【特許文献１】特許第４５００８０６号公報
【特許文献２】特許第３８２１７８３号公報
【特許文献３】特開２００１−３４５８６２号公報
【発明の概要】
【発明が解決しようとする課題】
【０００８】
しかしながら、特許文献１の技術では、自ら特定データを送出して物理ポートを判定するような能動的な判定方法をすることができない。特許文献２では、ＰＰＰ認証によりＷＡＮ側端末は接続されている物理ポートを認識している点において、物理ポートを判定するに際して煩雑な処理及び構成となってしまう。また、特許文献３では、ＷＡＮ側端末が接続されている物理ポートを自動で認識することができないという課題があった。
【０００９】
本発明は、複数のイーサネットポートを具備する中継装置において、どのイーサネットポートに回線終端端末を接続した場合でもＷＡＮポートとなる中継装置を提供することを目的とする。
【課題を解決するための手段】
【００１０】
上述の課題に鑑み、本発明の一態様は、第１のネットワーク及び第２のネットワーク兼用の複数の物理ポートを有する中継装置の制御方法において、複数の物理ポートのうちの全ての物理ポートを第１のネットワークと動作可能な状態としておき、複数の物理ポートのいずれかに端末が接続されると、当該接続を自動検出して複数の物理ポートに対してリクエストパケットを送出し、送出したリクエストパケットに対するレスポンスがあった際には、複数の物理ポートのうちのレスポンスを受け付けた物理ポートを第１のネットワーク用の物理ポートとして認識し、第１のネットワーク専用である信号インタフェースと、認識された第１のネットワーク用の物理ポートとを接続するように設定する、ことを特徴とする制御方法に関する。
【００１１】
また、本発明の別の態様は、第１のネットワーク及び第２のネットワーク兼用の複数の物理ポートを有する中継装置において、複数の物理ポートのうちの全ての物理ポートを第１のネットワークと動作可能な状態としておき、複数の物理ポートのいずれかに端末が接続されると、当該接続を自動検出して複数の物理ポートに対してリクエストパケットを送出し、送出したリクエストパケットに対するレスポンスがあった際には、複数の物理ポートのうちのレスポンスを受け付けた物理ポートを第１のネットワーク用の物理ポートとして認識し、第１のネットワーク専用である信号インタフェースと、認識された第１のネットワーク用の物理ポートとを接続するように設定するネットワークプロセッサを備えることを特徴とする中継装置に関する。
【００１２】
さらに、本発明の異なる態様は、第１のネットワーク及び第２のネットワーク兼用の複数の物理ポートを有する中継装置の制御プログラムにおいて、複数の物理ポートのうちの全ての物理ポートを第１のネットワークと動作可能な状態としておく処理と、複数の物理ポートのいずれかに端末が接続されると、当該接続を自動検出して複数の物理ポートに対してリクエストパケットを送出する処理と、送出したリクエストパケットに対するレスポンスがあった際には、複数の物理ポートのうちのレスポンスを受け付けた物理ポートを第１のネットワーク用の物理ポートとして認識する処理と、第１のネットワーク専用である信号インタフェースと、認識された第１のネットワーク用の物理ポートとを接続するように設定する処理と、を中継装置に実行させることを特徴とする制御プログラムに関する。
【発明の効果】
【００１３】
本発明の中継装置では、特定のパケットやデータを送出して、そのレスポンスによりＷＡＮ側であることを認識できる。本発明によると、中継装置に複数の物理ポートがあった場合においても、すべての物理ポートがＷＡＮポートとして動作可能となる。
【００１４】
本発明の更なる利点及び実施形態を、記述と図面を用いて下記に詳細に説明する。
【図面の簡単な説明】
【００１５】
【図１】本発明の各実施形態によるネットワークシステムのネットワーク構造の概略図を示す。
【図２】本発明の各実施形態による中継装置の外部構造を示すための要部拡大図である。
【図３】本発明の第１の実施形態による中継装置の概略構成を示すためのブロック図である。
【図４】図３に示す中継装置におけるポート自動検出動作を説明するためのフローチャートである。
【図５】図３に示す中継装置のイーサネットスイッチの内部接続イメージを説明するための図である。
【図６】図３に示す中継装置のイーサネットスイッチの内部接続イメージを説明するための図である。
【図７】本発明の第２の実施形態による中継装置におけるポート自動検出動作を説明するための図である。
【図８】本発明の第２の実施形態による中継装置のイーサネットスイッチの内部接続イメージを説明するための図である。
【図９】本発明の第２の実施形態による中継装置のイーサネットスイッチの内部接続イメージを説明するための図である。
【図１０】本発明の第３の実施形態による中継装置を含むネットワークシステムを説明するためのブロック図である。
【図１１】図１０に示す中継装置におけるポート自動検出動作を説明するための図である。
【図１２】本発明の第４の実施形態による中継装置の概略構成を示すためのブロック図である。
【図１３】図１２に示す中継装置におけるポート自動検出動作を説明するための図である。
【図１４】関連する中継装置の外部構造を示すための要部拡大図である。
【発明を実施するための形態】
【００１６】
以下、本発明の好ましい実施形態に従う中継装置１０について、添付図面を参照しながら詳しく説明する。但し、以下に説明する実施例によって本発明の技術的範囲は何ら限定解釈されることはない。
【００１７】
図１及び図２は本発明の各実施形態による構成例を示す概略図である。図１に示すネットワークシステムは、ゲートウェイとして機能するルータなどの中継装置１０と、ケーブル等の伝送路からの信号を所定の信号に変調・復調して送受信するモデムなどの回線終端端末２０と、ユーザが使用して中継装置１０等を介してコンテンツを取得するパソコンなどの端末３０と、ホームページ等のコンテンツを格納し、中継装置１０等を介して送信されてくる端末３０からのコンテンツ要求に応じるサーバ４０と、インターネット等のネットワーク１００とで構成されている。
【００１８】
図２は、本発明の各実施形態における中継装置１０の背面に設けられた複数の物理ポートを説明するための要部拡大図である。図２から明らかなように、各実施形態による中継装置１０の各物理ポートはＷＡＮ（第１のネットワーク）及びＬＡＮ（第２のネットワーク）ともに共有化して用いることができる。すなわち、ユーザが中継装置１０のいずれかの物理ポートにＷＡＮケーブルを挿入した場合には、ＷＡＮケーブルが繋がれた物理ポートはＷＡＮポートとして動作可能となる。また、ＬＡＮケーブルをいずれかの物理ポートに接続した場合にも、ＬＡＮケーブルが繋がれた物理ポートはＬＡＮポートとして動作可能となる。従って、ユーザは中継装置１０に設けられた物理ポートの属性を区別することなくインターネット環境を容易にセットアップすることが可能となる。
【００１９】
次に、本発明の各実施形態について図面を参照しつつ以下に詳細に説明する。
【００２０】
（第１の実施形態）
図３は、本発明の第１の実施形態による中継装置１０の概略構成を示すためのブロック図である。本実施形態の中継装置１０は、イーサネット通信手段を持つ通信装置であって、ネットワークプロセッサ１１、イーサネットスイッチ１２、信号インタフェースＡ１３、信号インタフェースＢ１４、マネジメントインタフェース１５、コネクタ１６、及び記憶部１７を有する。
【００２１】
ネットワークプロセッサ１１は、データの転送・制御・管理を行うことができ、イーサネットスイッチ１２との通信インタフェースを持つＣＰＵである。イーサネットスイッチ１２は、ネットワークプロセッサ１１と外部インタフェースとの間のイーサネットのデータを変換する役割を持ち、ポート間の転送や内部のポートあるいは信号インタフェースＡ１３、Ｂ１４との転送ルートの設定が可能な回路である。信号インタフェースＡ１３、Ｂ１４は、イーサネット標準規格であるＲＧＭＩＩ、ＧＭＩＩ、ＭＩＩなどネットワークプロセッサ１１とイーサネットスイッチ１２の間のデータを転送するインタフェースである。ここでは信号インタフェースＡ１３をＷＡＮ側専用、信号インタフェースＢ１４をＬＡＮ側専用と定義する。
【００２２】
マネジメントインタフェース１５は、ネットワークプロセッサ１１がイーサネットスイッチ１２を設定する、状態を検出するためのインタフェースである。コネクタ１６は、イーサネットの外部インタフェースとしてイーサネット標準規格であるＩＥＥＥ８０２．３で定義されているコネクタ１６であり、例えばＲＪ４５コネクタが挙げられる。このコネクタ１６を連結してＬＡＮケーブルで端末３０と接続することにより通信が可能となる。端末３０は、一般的なパーソナルコンピュータであって、各種情報処理を行う制御部、情報を一時記憶するＲＡＭ、基本制御プログラムが格納されているＲＯＭ、ユーザによって情報を入力する入力部、データ等を出力する出力部、ネットワークを介しインターネット等との通信を行うためのネットワークインタフェースがバスによって接続されている。
【００２３】
説明の都合上、図３ではイーサネットスイッチ１２などをハードウェアとして図示しているが、これらの構成はコンピュータによって実行可能なプログラムによって構成され得る。記憶部１７には、様々なプログラムやデータ、コンテンツが記憶又は一時記憶されている。また、ＯＳ（Operating System）も格納されている。記憶部１７はこのＯＳの指示に基づいて動作する。この場合、記憶部１７は、複数の物理ポートのうちの全ての物理ポートを第１のネットワークと動作可能な状態としておく処理と、複数の物理ポートのいずれかに端末３０が接続されると、当該接続を自動検出して複数の物理ポートに対してリクエストパケットを送出する処理と、送出したリクエストパケットに対するレスポンスがあった際には、複数の物理ポートのうちのレスポンスを受け付けた物理ポートを第１のネットワーク用の物理ポートとして認識する処理と、第１のネットワーク専用である信号インタフェースと、認識された第１のネットワーク用の物理ポートが接続されるように設定する処理とを実行するためのプログラムを格納することができる。これらのプログラムはコンピュータ（中継装置）によって実現され得る。
【００２４】
本発明においては、物理ポート番号をＰｏｒｔ[１]、Ｐｏｒｔ[２]、・・・Ｐｏｒｔ［ｎ］のように示す。また、端末３０は、イーサネットポートに接続の端末３０であり、Ｐｏｒｔ[１]に接続の端末３０を端末[１]、Ｐｏｒｔ[２]に接続の端末３０を端末[２]、Ｐｏｒｔ［ｎ］に接続の端末３０を端末［ｎ］と定義する。図３に示す構成は一例であり、端末３０の他にモデムなどの回線終端端末２０を接続させることもできる。
【００２５】
次に、本発明の第１の実施形態による中継装置１０の動作について詳細に説明する。本実施形態において、特定のパケットやデータは種々のものが挙げられるが、説明の便宜上、ｈｔｔｐ（Hypertext Transfer Protocol）パケットを例にして説明する。
【００２６】
図４は、本実施形態の中継装置１０におけるポート自動検出動作を説明するためのフローチャートである。初期状態は、全ての物理ポートをＷＡＮとして動作可能な状態としておく。従って、ＷＡＮに端末３０が接続されるまでは、任意の物理ポートにＬＡＮ側端末３０（例えばＰＣ、ＴＶ、プリンタなど）が接続されても、通信プロトコルが確立せず通信が出来ないこととなる。
【００２７】
初期状態から任意の物理ポート(Ｐｏｒｔ［ｘ］)に端末３０が接続された場合を説明する（Ｓ１０１）。Ｐｏｒｔ［ｘ］に端末３０が接続されるとイーサネットスイッチ１２が接続検出してマネジメントインタフェース１５を介して接続検出をネットワークプロセッサ１１に伝える（Ｓ１０２）。次にネットワークプロセッサ１１は信号インタフェースＡ１３を介して、全ての物理ポートに対しｈｔｔｐリクエストパケットを送信する。このとき、信号インタフェースＡ１３と全物理ポートはイーサネットスイッチ１２内部で接続された初期状態である（Ｓ１０３）。
【００２８】
図５にイーサネットスイッチ１２内部の接続イメージを示す。送信されたｈｔｔｐリクエストは、例えばルータのサポートサイトなどのあらかじめ決められたｈｔｔｐサーバ宛てに送られる。また、ネットワークプロセッサ１１はｈｔｔｐサーバからのｈｔｔｐレスポンスを待受けする（Ｓ１０４）。ｈｔｔｐサーバからｈｔｔｐレスポンスがあった場合には、その物理ポートをＷＡＮポートとして認識する（Ｓ１０５）。一般的にネットワークプロセッサ１１は、イーサネットスイッチ１２で付与されたＶＩＤを見て、どの物理ポートから転送されてきたパケットなのかを認識することができるため、ここでは詳細な説明は割愛する。また、ｈｔｔｐレスポンスが無かった場合には、接続待受け（初期状態）（Ｓ１０１）に戻る。
【００２９】
ネットワークプロセッサ１１は、ＷＡＮ専用である信号インタフェースＡ１３とポート［２］が接続されるようマネジメントインタフェース１５を介してイーサネットスイッチ１２を設定する。図６にポート［２］がＷＡＮポートの場合のイーサネットスイッチ１２内部の接続イメージを示す。他の物理ポートについてはＬＡＮ側インタフェースとして見なす。同様に、ネットワークプロセッサ１１はマネジメントインタフェース１５を介してイーサネットスイッチ１２を設定して、ＬＡＮ専用であるＭＡＣ２と他の物理ポートを接続する。この時、ＬＡＮポート機能として必要となるＤＨＣＰ（Dynamic Host Configuration Protocol）機能なども合わせて設定する（Ｓ１０６）。イーサネットスイッチ１２の設定変更が完了して（Ｓ１０６）、通常のルータ動作に移行する（Ｓ１０７）。
【００３０】
本実施形態によると、全ての物理ポートがＷＡＮポートまたはＬＡＮポートとなり得るため、ユーザの操作性が良くなり、オペレーションミスがなくなる。また、既存の中継装置１０の構成がそのまま活用できる利点がある。その理由は、中継装置１０は特定のパケットやデータを送出して、そのレスポンスにより対応するネットワークがＷＡＮ側であることを認識できるからである。また、本実施形態によると、物理ポートの制限がなくなり、装置が具備しているどの物理ポートに対して接続した場合でもＷＡＮポートとなり得る。
【００３１】
（第２の実施形態）
続いて、本発明の第２の実施形態について説明する。本発明の第２の実施形態は、上述した第１の実施形態の変形例である。以下、本実施の形態において、第１の実施形態においてすでに説明した部分と同様な機能を有する部分には同一符号を付し、説明は省略する。
【００３２】
図７は、第２の実施形態による中継装置１０のポート自動検出動作を説明するための図である。本実施形態による中継装置１０は第１の実施形態と同様に、図３に示した構成を有している。第１の実施形態では、ＷＡＮが接続されるまではＬＡＮポートが動作可能とならなかったため、ＬＡＮポート間あるいは他のインタフェースとのパケット転送ができなかったが、本実施形態では、ＷＡＮが接続されていない状況でもＬＡＮポートが使用可能となる点において特徴を有する。
【００３３】
以下に図７から図９を参照しながら第２の実施形態によるポート自動検出動作の説明をする。初期状態から任意の物理ポート（Ｐｏｒｔ［ｘ］）に端末３０が接続された場合を説明する（Ｓ２０１）。Ｐｏｒｔ［ｘ］に端末３０が接続されると、イーサネットスイッチ１２が接続検出してマネジメントインタフェース１５を介して接続検出をネットワークプロセッサ１１に伝える（Ｓ２０２）。次に、ネットワークプロセッサ１１は信号インタフェースＡ１３を介して、ＤＨＣＰ機能によりＩＰアドレスを割り当てし、相手とのネゴシエーションを実施する（Ｓ２０３）。ネゴシエーションを完了することにより、ＬＡＮポートとして認識する（Ｓ２０８）。ネットワークプロセッサ１１は、ＬＡＮ専用である信号インタフェースＢ１４と該当物理ポートが接続されるようマネジメントインタフェース１５を介してイーサネットスイッチ３を設定する。
【００３４】
図８にＰｏｒｔ［３］がＬＡＮポートの場合のイーサネットスイッチ１２内部の接続イメージを示す。特定の物理ポートをＬＡＮポートとして設定した後（Ｓ２０８）、再び接続待受けを行う（Ｓ２０１）。一方、ネゴシエーションが完了しなかった場合には、全ての物理ポートに対し、ｈｔｔｐリクエストパケットを送信する（Ｓ２０４）。ネットワークプロセッサ１１は、ｈｔｔｐサーバからのｈｔｔｐレスポンスを待受けする（Ｓ２０５）。ｈｔｔｐレスポンスがあった場合には、その物理ポートをＷＡＮポートとして認識する（Ｓ２０６）。ｈｔｔｐレスポンスが無かった場合には、接続待受け（Ｓ２０１）に戻る。ネットワークプロセッサ１１は、ＷＡＮ専用である信号インタフェースＡ１３と該当ＷＡＮポートが接続されるようマネジメントインタフェース１５を介してイーサネットスイッチ３を設定する。
【００３５】
図９にＰｏｒｔ［２］がＷＡＮポートの場合のイーサネットスイッチ１２内部の接続イメージを示す。他の物理ポートについてはＬＡＮ側インタフェースとしてみなす。同様に、ネットワークプロセッサ１１はマネジメントインタフェース１５を介してイーサネットスイッチ１２を設定して、ＬＡＮ専用であるＭＡＣ２と他の物理ポートを接続する。この時、ＬＡＮポート機能として必要となるＤＨＣＰ機能なども合わせて設定する（Ｓ２０６）。イーサネットスイッチ１２の設定変更が完了した後、通常のルータ動作に移行する（Ｓ２０７）。本実施形態により回線が開通する前には回線終端端末２０との接続ポートが検出できる。
【００３６】
本実施形態によると、中継装置１０から送信する特定パケットにより、ＷＡＮポートとＬＡＮポートの識別を能動的に行うことが可能となるため、ネットワーク環境のセットアップを容易に実行可能となる。
【００３７】
（第３の実施形態）
続いて、本発明の第３の実施形態について説明する。本発明の第３の実施形態は、上述した第１及び第２の実施形態の変形例である。以下、本実施の形態において、第１及び第２の実施形態においてすでに説明した部分と同様な機能を有する部分には同一符号を付し、説明は省略する。本実施形態では、外部からの実行要求によりＷＡＮポートの認識を実現できる。
【００３８】
図１０は、本発明の第３の実施形態による中継装置１０を含むネットワークシステムを説明するためのブロック図である。本実施形態による中継装置１０は、上述した構成に加えて読取コード１８を有している。読取コード１８としては、例えばルータに貼付のＱＲコード（登録商標）やバーコードなどがあり、読取コード１８にはＭＡＣアドレスとサーバアドレスが入力されている。また、本実施形態では、中継装置１０の読取コード１８はユーザの携帯電話やスマートフォンなどの通信手段を持ち合わせた通信端末５０などで読み取られる。通信端末５０により読み取られた情報は、通信手段にて所定の方式でサーバ４０に送信される。サーバ４０は、受信した情報に含まれるＭＡＣアドレスを基に、特定の物理ポートに接続された回線終端端末２０を介して指定ＭＡＣに対してパケットを送信する。
【００３９】
続いて、第３の実施形態の中継装置１０による動作処理の説明をする。図１１は、図１０に示す中継装置１０におけるポート自動検出動作を説明するための図である。本実施形態では、外部からの実行要求でＷＡＮポートの認識を実現する。まず、通信端末５０はコードリーダー機能を用いて、中継装置１０に貼付の読取コード１８を読み取る（Ｓ３０１）。通信端末５０は、読み取ったＭＡＣアドレスをサーバアドレス宛に送信する（Ｓ３０２）。送信伝達手段は、サーバ４０のホームページコンテンツやメールなどが考えられるがここでは指定しない。サーバ４０は通信端末５０からの情報に基づき、ＭＡＣアドレス宛に指定パケットを送信する（Ｓ３０３）。サーバ４０は、中継装置１０の事業者によって管理されるものであり、あらかじめパケットの形式などは取り決めされている（Ｓ３０４）。中継装置１０は、パケットを受信したＰｏｒｔ［ｘ］をＷＡＮポートとして認識する（Ｓ３０５）。ネットワークプロセッサ１１は、ＷＡＮ専用である信号インタフェースＡ１３と該当ＷＡＮポートが接続されるようにマネジメントインタフェース１５を介してイーサネットスイッチ１２を設定する。他の物理ポートについてはＬＡＮ側インタフェースとしてみなし、同様にネットワークプロセッサ１１はマネジメントインタフェース１５を介してイーサネットスイッチ１２を設定する（Ｓ３０６）。
【００４０】
本実施形態に係る構成によると、中継装置１０が有する読取コード１８と外部の通信端末５０の補助により、ネットワーク側からのアクセスすることでＷＡＮポートが判別可能となる。
【００４１】
（第４の実施形態）
続いて、本発明の第４の実施形態について説明する。本発明の第４の実施形態は、上述した第１から第３の実施形態の変形例である。以下、本実施の形態において、第１から第３の実施形態においてすでに説明した部分と同様な機能を有する部分には同一符号を付し、説明は省略する。上述した実施形態は回線が開通していることを前提条件としていたが、本実施形態では、回線が開通する前にＷＡＮポートを検出できる点で特徴を有している。
【００４２】
図１２は、本発明の第４の実施形態による中継装置１０の概略構成を示すためのブロック図である。本実施形態による中継装置１０の物理ポートに接続される回線終端端末２０はＷｏＬ（Wake on LAN）機能を搭載している必要がある。このＷｏＬ機能は、マジックパケットと呼ばれる特殊パケットを送出することにより、接続端末あるいはネットワーク上にいる装置の電源を起動またはシャットダウンすることが出来る機能である。本実施形態ではＷｏＬ機能を中継装置１０のイーサネット機能のＥｎａｂｌｅに使用する。
【００４３】
続いて、本実施形態の中継装置１０による動作処理の説明をする。図１３は、図１２に示す中継装置１０におけるポート自動検出動作を説明するための図である。中継装置１０の初期状態は、全イーサネットポート（Ｐｏｒｔ［１］〜Ｐｏｒｔ［ｎ］）動作はデータ転送ができないＤｉｓａｂｌｅとなっている。また、イーサネットスイッチ１２の内部接続イメージは図５に示す通りである（Ｓ４０１）。次に、物理ポートに回線終端端末２０が接続されると当該接続を検出する（Ｓ４０２）。マジックパケットの受信があった場合には、中継装置１０はＰｏｒｔ［ｘ］に回線終端端末２０が接続されている。つまり、Ｐｏｒｔ［ｘ］がＷＡＮポートであると認識する（Ｓ４０４）。マジックパケットの受信なしの場合には、接続待受け（初期状態）に戻る（Ｓ４０１）。
【００４４】
ネットワークプロセッサ１１はＷＡＮ専用である信号インタフェースＡ１３とＰｏｒｔ［ｘ］が接続されるようマネジメントインタフェース１５を介してイーサネットスイッチ１２を設定する。Ｐｏｒｔ［２］がＷＡＮポートの場合のイーサネットスイッチ１２内部の接続イメージは図６に示した通りである。他の物理ポートについてはＬＡＮ側インタフェースとして見なす。同様に、ネットワークプロセッサ１１はマネジメントインタフェース１５を介してイーサネットスイッチ１２を設定して、ＬＡＮ専用であるＭＡＣ２と他の物理ポートを接続する。この時、ＬＡＮポート機能として必要となるＤＨＣＰ機能なども合わせて設定する（Ｓ４０５）。また、全イーサネットボートがこの時点でＥｎａｂｌｅとなり使用可能な状態となる。イーサネットスイッチ１２の設定変更が完了した後、通常のルータ動作に移行する（Ｓ４０６）。
【００４５】
本実施形態では、二次効果として、省電力に寄与することができる。なぜなら、ＷｏＬ機能により、中継装置１０のイーサネット機能の動作トリガとして使うことが出来るため、例えば回線終端端末２０の電源がＯＦＦされた場合には、ＷＡＮポートが削除されたと認識して、中継装置１０のイーサネットポートは初期状態（Ｓ４０１）に戻りＤｉｓａｂｌｅ状態になるからである。
【００４６】
なお、上述した実施形態に含まれる特徴を用いた制御プログラムも本発明の範疇に含まれる。
【００４７】
なお、上述の各実施の形態において、実施形態の動作（処理）は、プログラム、ソフトウェア、又はコンピュータによって実行されることが可能な命令でコード化された、コンピュータ読み取り可能な記憶媒体によって実行されてもよい。記憶媒体には、光ディスク、フロッピー（登録商標）ディスク、ハードディスク等の可搬型の記録媒体が含まれることはもとより、ネットワークのようにデータを一時的に記録保持するような伝送媒体も含まれる。
【００４８】
上記の実施形態の一部又は全部は、以下の付記のようにも記載されうるが、以下には限られない。
【００４９】
（付記１）第１のネットワーク及び第２のネットワーク兼用の複数の物理ポートを有する中継装置の制御方法において、
複数の物理ポートのうちの全ての物理ポートを第１のネットワークと動作可能な状態としておき、
複数の物理ポートのいずれかに端末が接続されると、当該接続を自動検出して複数の物理ポートに対してリクエストパケットを送出し、
送出したリクエストパケットに対するレスポンスがあった際には、複数の物理ポートのうちのレスポンスを受け付けた物理ポートを第１のネットワーク用の物理ポートとして認識し、
第１のネットワーク専用である信号インタフェースと、認識された第１のネットワーク用の物理ポートとを接続するように設定する、ことを特徴とする制御方法。
【００５０】
（付記２）複数の物理ポートのうちの他の物理ポートについては第２のネットワーク用の物理ポートとして認識し、第２のネットワーク専用である信号インタフェースと、認識された第２のネットワーク用の物理ポートとを接続するように設定する、ことを特徴とする付記１に記載の制御方法。
【００５１】
（付記３）複数の物理ポートのいずれかに端末が接続されて複数の物理ポートに対してリクエストパケットを送出する前に、ＩＰアドレスを割り当てて相手とのネゴシエーションを実施し、
ネゴシエーションが完了した際には、当該物理ポートを第２のネットワーク用の物理ポートとして認識し、第２のネットワーク専用である信号インタフェースと、認識された第２のネットワーク用の物理ポートとを接続するように設定する、ことを特徴とする付記１又は２に記載の制御方法。
【００５２】
（付記４）第１のネットワーク及び第２のネットワーク兼用の複数の物理ポートと、読取コードとを有する中継装置の制御方法において、
読取コードから取得したＭＡＣアドレスを外部のサーバが受信すると、当該外部のサーバから取得したＭＡＣアドレス宛に指定パケットを送信し、
外部のサーバから送信された指定パケットを受信した複数の物理ポートのうちのいずれかの物理ポートを第１のネットワーク用の物理ポートとして認識し、
第１のネットワーク専用である信号インタフェースと、認識された第１のネットワーク用の物理ポートとを接続するように設定することを特徴とする制御方法。
【００５３】
（付記５）複数の物理ポートが機能無効化されている状態において、
ＷｏＬ機能を搭載する外部の回線終端端末からマジックパケットの受信があると、外部の回線終端端末と接続している物理ポートを第１のネットワーク用の物理ポートとして認識し、
第１のネットワーク専用である信号インタフェースと、認識された第１のネットワーク用の物理ポートとを接続するように設定する、ことを特徴とする付記１乃至４の何れか一項に記載の制御方法。
【００５４】
（付記６）第１のネットワーク及び第２のネットワーク兼用の複数の物理ポートを有する中継装置において、
複数の物理ポートのうちの全ての物理ポートを第１のネットワークと動作可能な状態としておき、複数の物理ポートのいずれかに端末が接続されると、当該接続を自動検出して複数の物理ポートに対してリクエストパケットを送出し、送出したリクエストパケットに対するレスポンスがあった際には、複数の物理ポートのうちのレスポンスを受け付けた物理ポートを第１のネットワーク用の物理ポートとして認識し、第１のネットワーク専用である信号インタフェースと、認識された第１のネットワーク用の物理ポートとを接続するように設定するネットワークプロセッサを備えることを特徴とする中継装置。
【００５５】
（付記７）前記ネットワークプロセッサは、複数の物理ポートのうちの他の物理ポートについては第２のネットワーク用の物理ポートとして認識し、第２のネットワーク専用である信号インタフェースと、認識された第２のネットワーク用の物理ポートとを接続するように設定する、ことを特徴とする付記６に記載の中継装置。
【００５６】
（付記８）前記ネットワークプロセッサは、複数の物理ポートのいずれかに端末が接続されて複数の物理ポートに対してリクエストパケットを送出する前に、ＩＰアドレスを割り当てて相手とのネゴシエーションを実施し、ネゴシエーションが完了した際には、当該物理ポートを第２のネットワーク用の物理ポートとして認識し、第２のネットワーク専用である信号インタフェースと、認識された第２のネットワーク用の物理ポートとを接続するように設定する、ことを特徴とする付記６又は７に記載の中継装置。
【００５７】
（付記９）第１のネットワーク及び第２のネットワーク兼用の複数の物理ポートと、読取コードとを有する中継装置において、
読取コードから取得したＭＡＣアドレスを外部のサーバが受信すると、当該外部のサーバから取得したＭＡＣアドレス宛に指定パケットを送信し、外部のサーバから送信された指定パケットを受信した複数の物理ポートのうちのいずれかの物理ポートを第１のネットワーク用の物理ポートとして認識し、第１のネットワーク専用である信号インタフェースと、認識された第１のネットワーク用の物理ポートとを接続するように設定するネットワークプロセッサを備えることを特徴とする中継装置。
【００５８】
（付記１０）前記ネットワークプロセッサは、複数の物理ポートが機能無効化されている状態において、ＷｏＬ機能を搭載する外部の回線終端端末からマジックパケットの受信があると、外部の回線終端端末と接続している物理ポートを第１のネットワーク用の物理ポートとして認識し、第１のネットワーク専用である信号インタフェースと、認識された第１のネットワーク用の物理ポートとを接続するように設定する、ことを特徴とする付記６乃至９の何れか一項に記載の中継装置。
【００５９】
（付記１１）第１のネットワーク及び第２のネットワーク兼用の複数の物理ポートを有する中継装置の制御プログラムにおいて、
複数の物理ポートのうちの全ての物理ポートを第１のネットワークと動作可能な状態としておく処理と、
複数の物理ポートのいずれかに端末が接続されると、当該接続を自動検出して複数の物理ポートに対してリクエストパケットを送出する処理と、
送出したリクエストパケットに対するレスポンスがあった際には、複数の物理ポートのうちのレスポンスを受け付けた物理ポートを第１のネットワーク用の物理ポートとして認識する処理と、
第１のネットワーク専用である信号インタフェースと、認識された第１のネットワーク用の物理ポートとを接続するように設定する処理と、を中継装置に実行させることを特徴とする制御プログラム。
【００６０】
（付記１２）複数の物理ポートのうちの他の物理ポートについては第２のネットワーク用の物理ポートとして認識する処理と、第２のネットワーク専用である信号インタフェースと、認識された第２のネットワーク用の物理ポートとを接続するように設定する処理と、を中継装置に実行させることを特徴とする付記１１に記載の制御プログラム。
【００６１】
（付記１３）複数の物理ポートのいずれかに端末が接続されて複数の物理ポートに対してリクエストパケットを送出する前に、ＩＰアドレスを割り当てて相手とのネゴシエーションを実施する処理と、
ネゴシエーションが完了した際には、当該物理ポートを第２のネットワーク用の物理ポートとして認識し、第２のネットワーク専用である信号インタフェースと、認識された第２のネットワーク用の物理ポートとを接続するように設定する処理と、を中継装置に実行させることを特徴とする付記１１又は１２に記載の制御プログラム。
【００６２】
（付記１４）第１のネットワーク及び第２のネットワーク兼用の複数の物理ポートと、読取コードとを有する中継装置の制御プログラムにおいて、
読取コードから取得したＭＡＣアドレスを外部のサーバが受信すると、当該外部のサーバから取得したＭＡＣアドレス宛に指定パケットを送信する処理と、
外部のサーバから送信された指定パケットを受信した複数の物理ポートのうちのいずれかの物理ポートを第１のネットワーク用の物理ポートとして認識する処理と、
第１のネットワーク専用である信号インタフェースと、認識された第１のネットワーク用の物理ポートとを接続するように設定する処理と、を中継装置に実行させることを特徴とする制御プログラム。
【００６３】
（付記１５）複数の物理ポートが機能無効化されている状態において、
ＷｏＬ機能を搭載する外部の回線終端端末からマジックパケットの受信があると、外部の回線終端端末と接続している物理ポートを第１のネットワーク用の物理ポートとして認識する処理と、
第１のネットワーク専用である信号インタフェースと、認識された第１のネットワーク用の物理ポートとを接続するように設定する処理と、を中継装置に実行させることを特徴とする付記１１乃至１４の何れか一項に記載の制御プログラム。
【産業上の利用可能性】
【００６４】
本発明の中継装置、制御方法、及び制御プログラムは、例えばホームネットワークサービスに適用することができ、インターネットを経由してホームネットワーク上にある様々な機器に簡単にアクセスし、操作することのできるネットワーク環境での技術として有用である。
【符号の説明】
【００６５】
１０  中継装置（ルータ）
１１  ネットワークプロセッサ
１２  イーサネットスイッチ
１３  信号インタフェースＡ
１４  信号インタフェースＢ
１５  マネジメントインタフェース
１６  コネクタ
１７  記憶部
１８  読取コード
２０  回線終端端末
３０  端末（クライアント）
４０  サーバ
５０  携帯型情報端末
１００  ネットワーク
【図１】
2014140106.tif 000003
【図２】
2014140106.tif 000004
【図３】
2014140106.tif 000005
【図４】
2014140106.tif 000006
【図５】
2014140106.tif 000007
【図６】
2014140106.tif 000008
【図７】
2014140106.tif 000009
【図８】
2014140106.tif 000010
【図９】
2014140106.tif 000011
【図１０】
2014140106.tif 000012
【図１１】
2014140106.tif 000013
【図１２】
2014140106.tif 000014
【図１３】
2014140106.tif 000015
【図１４】
2014140106.tif 000016